(57)【要約】【課題】縦孔からなる放流渠の流入口において、簡易な構造でし渣の流入を防止できる放流渠のし渣掻き寄せ装置を提供する。【解決手段】縦孔からなる放流渠の流入口Ｈを全周にわたって囲むように立設され、側面をスクリーン面Ｓ１〜Ｓ４とする横引き式のバースクリーン２と、このバースクリーン２の内側空間に配設され、バースクリーン２が捕捉したし渣を掻き寄せるレーキ３と、を備えるし渣掻き寄せ装置１とした。【選択図】図２
2008144354.tif 000002
【特許請求の範囲】
【請求項１】
縦孔からなる放流渠の流入口を全周にわたって囲むように立設され、側面をスクリーン面とする横引き式のバースクリーンと、
このバースクリーンの内側空間に配設され、バースクリーンが捕捉したし渣を掻き寄せるレーキと、
を備えることを特徴とする放流渠のし渣掻き寄せ装置。
【請求項２】
前記放流渠の流入口は、平面視して矩形状を呈し、
前記バースクリーンは、矩形枠状のバーを有して４つのスクリーン面を構成し、
前記レーキは、平行をなす一方の一対のスクリーン面に沿って往復動して、前記一方の一対のスクリーン面上のし渣を同時に掻き寄せる構成としたことを特徴とする請求項１に記載の放流渠のし渣掻き寄せ装置。
【請求項３】
平行をなす他方の一対のスクリーン面の内の少なくとも１つのスクリーン面に対して間隔を空けて対向するように、し渣拡散防止板を立設したことを特徴とする請求項２に記載の放流渠のし渣掻き寄せ装置。
【発明の詳細な説明】
【技術分野】
【０００１】
本発明は、放流渠の流入口周りに設置されるし渣掻き寄せ装置に関するものである。
【背景技術】
【０００２】
下水処理場の沈殿池施設において、従来から、大雨等により下水の流入量が多くなった場合には、そのまま沈殿池からオーバーフローさせ、放流渠を介して無処理で河川や海に放流する措置が採られてきた。なお、合流式下水道においては、大雨時に、雨水吐き室で分水して河川や海に放流する措置が採られており、その場合、雨水吐き室の越流堰に下水中のし渣を捕捉するバースクリーンを設けることがある（例えば、特許文献１参照）。
【特許文献１】特開平９−２０９４３４号公報
【発明の開示】
【発明が解決しようとする課題】
【０００３】
沈殿池施設での放流渠は、その流入口が、コンクリート床面に縦孔として形成されることが多く、従来のバースクリーン構造での適用が困難となり、そのため、し渣を除去することなく下水を河川等に放流していたのであるが、たとえ大雨の非常時とはいえ、し渣を含んだまま河川等に放流することは環境汚染の点で好ましいことではない。
【０００４】
本発明は、以上のような問題を解決するために創作されたものであり、縦孔からなる放流渠の流入口において、簡易な構造でし渣の流入を防止できる放流渠のし渣掻き寄せ装置を提供することを目的としている。
【課題を解決するための手段】
【０００５】
本発明は、前記課題を解決するため、縦孔からなる放流渠の流入口を全周にわたって囲むように立設され、側面をスクリーン面とする横引き式のバースクリーンと、このバースクリーンの内側空間に配設され、バースクリーンが捕捉したし渣を掻き寄せるレーキと、を備えることを特徴とする放流渠のし渣掻き寄せ装置とした。
【０００６】
また本発明では、前記放流渠の流入口は、平面視して矩形状を呈し、前記バースクリーンは、矩形枠状のバーを有して４つのスクリーン面を構成し、前記レーキは、平行をなす一方の一対のスクリーン面に沿って往復動して、前記一方の一対のスクリーン面上のし渣を同時に掻き寄せる構成としたことを特徴とする放流渠のし渣掻き寄せ装置とした。
【０００７】
また本発明では、平行をなす他方の一対のスクリーン面の内の少なくとも１つのスクリーン面に対して間隔を空けて対向するように、し渣拡散防止板を立設したことを特徴とする放流渠のし渣掻き寄せ装置とした。
【発明の効果】
【０００８】
本発明によれば、縦孔からなる放流渠の流入口に対し、簡易な構造でし渣の流入を防止できる。
【発明を実施するための最良の形態】
【０００９】
図１ないし図３はそれぞれ本発明に係るし渣掻き寄せ装置の平面図、外観斜視図、平面作用図である。これらの図において、放流渠の流入口Ｈは、例えば沈殿池施設のコンクリート床面に縦孔として形成されており、その開口形状は平面視矩形状を呈している。大雨等により沈殿池からオーバーフローした下水は、この放流渠の流入口Ｈに流れ込んで河川や海に放流される。
【００１０】
し渣掻き寄せ装置１は、縦孔からなる放流渠の流入口Ｈを全周にわたって囲むように立設され、側面をスクリーン面Ｓ１〜Ｓ４とする横引き式のバースクリーン２と、このバースクリーン２の内側空間に配設され、バースクリーン２が捕捉したし渣を掻き寄せるレーキ３と、を備える。
【００１１】
バースクリーン２は、矩形枠状の平板からなるバー２Ａを上下方向に所定間隔を空けて並設した、いわゆる横引き式のスクリーンである。各バー２Ａは、その板面が水平面をなすように取り付けられ、例えば四隅において連結バー４を介して互いに連結される。最下段のバー２Ａは、流入口Ｈの縁周りのコンクリート床面に設置される。図では、流入口Ｈの開口形状を長方形からなる矩形とした場合を示しており、これに合わせてバー２Ａも長辺部と短辺部とを有した矩形枠となっている。これによりバースクリーン２は、長辺部側のスクリーン面Ｓ１、Ｓ２と、短辺部側のスクリーン面Ｓ３、Ｓ４とを構成する。
【００１２】
レーキ３は、バースクリーン２の内側空間において、バー２Ａの短辺部と平行となるように配設された平板状の部材であり、バースクリーン２の目開部２Ｂのピッチで上下方向に並設され、連結バー５を介して互いに連結されている。レーキ３の両端は、し渣を掻き寄せるために、スクリーン面Ｓ１、Ｓ２から外側に突出している。
【００１３】
レーキ３には、駆動連結部材６の一端が取り付けられる。駆動連結部材６は、バー２Ａの長辺部と平行に延設されて、スクリーン面Ｓ３の目開部２Ｂを通ってバースクリーン２の外部に臨み、他端がレーキ３の駆動源を構成するシリンダ７のロッド７ａに接続されている。なお、放流渠の流入口Ｈが複数ある場合には、図３に示すように、両軸式のシリンダ７を用いることで、１つの駆動源で２つのし渣掻き寄せ装置１に対応させることも可能である。また、図示はしないが、駆動連結部材６やロッド７ａの直線移動をガイドするガイド部材がバースクリーン２やコンクリート床面等に適宜に設けられる。
【００１４】
図３を用いてし渣掻き寄せ装置１の作用を説明すれば、先ず、流入口Ｈを全周にわたって囲むようにバースクリーン２が立設されているため、し渣が流入口Ｈに流れ込むことを防止できる。そして、シリンダ７の駆動によりレーキ３を往復動させて（ａ）と（ｂ）の状態を繰り返すことにより、スクリーン面Ｓ１、Ｓ２上のし渣をスクリーン面Ｓ３側とスクリーン面Ｓ４側とに向けて掻き寄せる。これにより、スクリーン面Ｓ１、Ｓ２における目詰まりが防止され、下水の流入量の低下が抑制される。勿論、スクリーン面Ｓ３、Ｓ４には掻き寄せ機能がないため、スクリーン面Ｓ３、Ｓ４にはし渣が蓄積しやすくなり、その分、下水の流入量は低下する。しかし、大雨が長期間にわたって続くことはなく、放流渠への下水の流入はあくまで非常時として比較的短時間に設定されていることが殆どである。そのため、一部のスクリーン面のし渣をそのまま放置したとしてもさほど問題とはならない。
【００１５】
以上のように、縦孔からなる放流渠の流入口Ｈを全周にわたって囲むように立設され、側面をスクリーン面Ｓ１〜Ｓ４とする横引き式のバースクリーン２と、このバースクリーン２の内側空間に配設され、バースクリーン２が捕捉したし渣を掻き寄せるレーキ３と、を備えるし渣掻き寄せ装置１によれば、縦孔からなる放流渠の流入口Ｈに対し、簡易な構造でし渣の流入を防止できる。
【００１６】
また、本実施形態のように、放流渠の流入口Ｈが平面視して矩形状を呈する場合において、バースクリーン２は、矩形枠状のバー２Ａを有して４つのスクリーン面Ｓ１〜Ｓ４を構成し、レーキ３は、平行をなす一方の一対のスクリーン面Ｓ１、Ｓ２に沿って往復動して、これらスクリーン面Ｓ１、Ｓ２上のし渣を同時に掻き寄せる構成とすれば、部品点数が少なく、構成が簡単で組み付けの容易なし渣掻き寄せ装置１を実現できる。
【００１７】
また、平行をなす他方の一対のスクリーン面、すなわちスクリーン面Ｓ３、Ｓ４の内の少なくとも１つのスクリーン面に対して間隔を空けて対向するように、し渣拡散防止板８を立設すれば、レーキ３で掻き寄せたし渣を拡散させることなく、効率よくスクリーン面Ｓ３、Ｓ４側に導くことができる。図では、し渣拡散防止板８をスクリーン面Ｓ３、Ｓ４の両方に対応させて設けた場合を示している。し渣拡散防止板８は、例えば平板状の部材やバースクリーン、パンチングメタルなどから選択され、コンクリート床面に立設される。つまり、し渣拡散防止板８とは、し渣の通過を阻止できる面状体であれば、平板に限らず、バースクリーンやパンチングメタルなどの目開部を有したものも含まれる。
【００１８】
「変形例」
し渣掻き寄せ装置１の変形例について図４ないし図７を参照して説明する。図４は変形例に係るし渣掻き寄せ装置の平面図、図５、図６はそれぞれ図４におけるＡ−Ａ断面図、Ｂ−Ｂ断面図、図７は作用平面図である。
【００１９】
この変形例は、バースクリーン２の構造については図１、図２に示したものと同一であるが、レーキ３の構造については主に次の２点の特徴部を有している。１つ目は、レーキ３の往復動方向に関してレーキ３を複数設けたことにより、レーキ３の移動ストロークを小さくしたこと、２つ目は、レーキ３を一方向に移動させるときには、その先端をスクリーン面Ｓ１、Ｓ２から突出させ、他方向に移動させるときには、その先端をスクリーン面Ｓ１、Ｓ２から突出させない構造としたことにより、し渣を一方向のみに掻き寄せる構成としたことである。なお、これら２つの構成は、図１、図２に示したし渣掻き寄せ装置１に対してそれぞれ独立して付与することも勿論可能である。
【００２０】
先ず、レーキ３の往復動方向に関して図４に示すようにレーキ３Ａ、３Ｂ、３Ｃを設ける構成とすれば、レーキ３を単体として設けた場合に比べ、各レーキ３Ａ、３Ｂ、３Ｃの移動ストロークが小さくて済む。これにより、レーキ３の駆動源として容量の小さいもので対応でき、経済的なし渣かき寄せ装置１となる。
【００２１】
次いで、前記した２つ目の構成について具体的に説明する。シリンダ７のロッド７ａに接続された駆動連結部材６は、図５に示すように、バースクリーン２の上部、下部にそれぞれ位置し、レーキ３の往復動方向に延設される上アーム６Ａと下アーム６Ｂとを有した形状からなる。上アーム６Ａと下アーム６Ｂとの間には３つの支軸１１が鉛直に取り付けられており、各支軸１１にレーキ３（レーキ３Ａ〜３Ｃ）が回動可能に取り付けられる。
【００２２】
図１、図２の場合、単体のレーキ３でスクリーン面Ｓ１、Ｓ２の両面に対応させていたが、この変形例では、図６に示すように、レーキ３は、スクリーン面Ｓ１、スクリーン面Ｓ２の一方のみに対応した分割式のものとなっている。レーキ３は、スクリーン面Ｓ１側に対応するものとスクリーン面Ｓ２側に対応するものとが交互に積み重ねられ、各基端が支軸１１に回動可能に支持される。
【００２３】
上アーム６Ａと下アーム６Ｂとの間には、図４に示すように、支軸１１に対するレーキ３の回動を規制するためのストッパ１２、１３が鉛直状に取り付けられている。ストッパ１２は、レーキ３が一方向に移動するときのレーキ３の回動を規制する機能を担い、ストッパ１３は、レーキ３が他方向に移動するときのレーキ３の回動を規制する機能を担う。
【００２４】
以上により、図７（ａ）のように、レーキ３が一方向（図における右側）に移動するとき、レーキ３はバースクリーン２との摩擦やし渣を掻き寄せるときの抵抗を受けることにより、スクリーンＳ１側のレーキ３については支軸１１を中心に図における時計回りに回動し、スクリーンＳ２側のレーキ３については支軸１１を中心に図における反時計回りに回動する。そしてレーキ３がストッパ１２に当接することにより、レーキ３の回動が規制され、一方向に移動する際のレーキ３の回動角度が維持される。この状態では、レーキ３の先端がスクリーン面Ｓ１、Ｓ２から突出するので、し渣がスクリーン面Ｓ３側に掻き寄せられる。
【００２５】
図７（ｂ）のように、レーキ３が他方向（図における左側）に移動するときには、レーキ３はバースクリーン２との摩擦を受けることにより、スクリーンＳ１側のレーキ３については支軸１１を中心に図における反時計回りに回動し、スクリーンＳ２側のレーキ３については支軸１１を中心に図における時計回りに回動する。そしてレーキ３がストッパ１３に当接することにより、レーキ３の回動が規制され、他方向に移動する際のレーキ３の回動角度が維持される。この状態では、レーキ３の先端がスクリーン面Ｓ１、Ｓ２から突出しないので、し渣は掻き寄せられない。
【００２６】
このように、スクリーン面Ｓ１、Ｓ２において一方向のみにし渣を掻き寄せる構成を採用すれば、し渣の寄せ集め位置を限定しやすくなり、し渣の拡散を効果的に防止できることとなる。
【００２７】
以上、本発明について好適な実施形態を説明した。レーキ３の往復駆動手段については様々な手法を採ることができ、例えば駆動源としてモータを用い、その回転運動をクランク機構を介してレーキ３の往復動運動に換える構造としてもよい。また、対象となる放流渠も、沈殿池施設のものに限定されるものではない。
【図面の簡単な説明】
【００２８】
【図１】本発明に係るし渣掻き寄せ装置の平面図である。
【図２】本発明に係るし渣掻き寄せ装置の外観斜視図である。
【図３】本発明に係るし渣掻き寄せ装置の平面作用図である。
【図４】変形例に係るし渣掻き寄せ装置の平面図である。
【図５】図４におけるＡ−Ａ断面図である。
【図６】図４におけるＢ−Ｂ断面図である。
【図７】変形例に係るし渣掻き寄せ装置の平面作用図である。
【符号の説明】
【００２９】
１      し渣掻き寄せ装置
２      バースクリーン
２Ａ    バー
３      レーキ
８      し渣拡散防止板
Ｈ      放流渠の流入口
Ｓ１〜Ｓ４  スクリーン面
【図１】
2008144354.tif 000003
【図２】
2008144354.tif 000004
【図３】
2008144354.tif 000005
【図４】
2008144354.tif 000006
【図５】
2008144354.tif 000007
【図６】
2008144354.tif 000008
【図７】
2008144354.tif 000009